(57)【要約】【課題】顔の形状や体感の個人差からくるところの鼻に対する弾性力の、可変、調整機能の要求課題と、弾性作用部とブリッジ部分の接合点で弾性作用の応力が集中的に働いてしまい短時間で破断を誘発する問題点を解決する。【解決手段】眼鏡枠の鼻あて部分に関して、２ブリッジにそなえられた６接合部から３鼻あて母体に至る経路に、弾性作用を有する材質と形状からなる４衝撃吸収帯を構成し、さらに４衝撃吸収帯においては、ねじり作用と伸縮が自在なることを特徴とする湾曲形状とし、それとは別に  ４衝撃吸収帯全体に受ける圧力によって、極座標方向で回転弾性作用を有する変形可能な形状により弾性力が可変しうる構造であるところの、５極座標回転方向弾性作用部をそなえることを特徴とする眼鏡枠鼻あて。【選択図】図１
2006163020.tif 000002
【特許請求の範囲】
【請求項１】
眼鏡枠の鼻あて部分に関して、ブリッジにそなえられた接合部から鼻あて母体に至る経路に、弾性作用を有する材質と形状からなる衝撃吸収帯を構成し、さらに衝撃吸収帯においては、ねじり作用と伸縮が自在なることを特徴とする湾曲形状とし、それとは別に  衝撃吸収帯全体に受ける圧力によって、極座標方向で回転弾性作用を有する変形可能な形状により弾性力が可変しうる構造であるところの、極座標回転方向弾性作用部をそなえることを特徴とする眼鏡枠鼻あて。
【請求項２】
請求項１に示した構造に加え、ブリッジとの接合点において、ホール接合部を構成し、ホール接合部の内部に、さらに応力拡散弾性作用部をそなえたことを特徴とする眼鏡枠鼻あて。
【発明の詳細な説明】
【技術分野】
【０００１】
本発明は、眼鏡枠の鼻あて部分に関するものである。
【背景技術】
【０００２】
眼鏡枠の鼻あて部分においては、目に対して眼鏡枠の位置を確定する機能が必要であり、確実に眼鏡枠を支える工夫が従来からなされてきた。
【０００３】
しかし、眼鏡枠は長時間にわたり鼻で支えるため、肉体的な痛みや、重量による不快な接触、そこから発生する精神的不快感がともなっていた。
【０００４】
また、鼻が眼鏡枠を確実に支える際、顔の形状のばらつきから鼻あての位置を調整する必要性もあるのだが、柔軟に対応できないという問題があった。
【０００５】
この改善策として、調整機能が備えられた実用新案（２０００−００６２１５）で示された一山、さらに鼻パットの高さを変化出来うる公開特許（特願平９−３４２０９３）、さらには、鼻に対する調整機能とフィット感、弾性力をともに備えた公開特許（特願２００１−３５９４２６）請求項１が発明されるにいたった。
【０００６】
公開特許（特願２００１−３５９４２６）請求項１における発明では、弾性作用部を介在させ眼鏡枠を鼻が支える際のフィット感の改善をはかった点はよいのであるが、必要とされる弾性力を、顔の形状や体感の個人差から、色々変化調整できうる機能を有することがのぞまれるのだが、その要求を満たしていない。
【０００７】
また公開特許（特願２００１−３５９４２６）請求項１における発明では、弾性作用部と位置調整機能部の作用範囲が曖昧なことから、位置調整の際に弾性作用部に過大な応力を加えてしまい、なおかつ、弾性作用部とブリッジ部分の接合点で弾性作用の応力が集中的に働いてしまい短時間で破断を誘発する問題が未解決であった。
【特許文献１】実用新案（２０００−００６２１５）
【特許文献２】公開特許（特願平９−３４２０９３）
【特許文献３】公開特許（特願２００１−３５９４２６）
【発明の開示】
【発明が解決しようとする課題】
【０００８】
解決しようとする問題点は、従来の方式、とくに公開特許（特願２００１−３５９４２６）に開示された発明では解決されなかった、顔の形状や体感の個人差からくるところの鼻に対する弾性力の、可変、調整機能の要求に答えられていない問題点である。
【０００９】
また、公開特許（特願２００１−３５９４２６）に開示された発明では解決されなかった、弾性作用部と位置調整機能部の作用範囲が曖昧な構造の問題点である。
【００１０】
また、上記の特許における発明では解決されなかった、位置調整の際に弾性作用部に過大な応力を加えてしまうという操作性の問題点である。
【００１１】
さらに、上記の特許における発明では解決されなかった、弾性作用部とブリッジ部分の接合点で弾性作用の応力が集中的に働いてしまい短時間で破断を誘発する問題点である。
【課題を解決するための手段】
【００１２】
本発明は、ブリッジにそなえられた接合部から鼻あて母体に至る経路に、弾性作用を有する材質と形状からなる衝撃吸収帯を構成し、それとは別に  衝撃吸収帯全体に受ける圧力によって極座標方向で回転弾性作用を有する、変形可能な形状により弾性力が可変しうる構造の極座標回転方向弾性作用部をそなえることを最も主要な特徴とする。
【発明の効果】
【００１３】
本発明の請求項１における眼鏡枠の鼻あて部分は、材質の性質上と湾曲形状から弾性作用を有する衝撃吸収帯と、その衝撃吸収帯全体にかかる圧力を受け取るところの、極座標回転方向弾性作用部をはっきりと区別したために、位置調整の際、おもに「やっとこ」や「ペンチ」等と呼ばれるところの専用の工具で調整する際の調整点が、はっきり認識できるという利点がある。
【００１４】
また、極座標回転方向弾性作用部の主なる形状であるリング形状の半径を変化させると、極座標回転方向弾性作用部の弾性力を変化させることができ、それはすなわち衝撃吸収帯全体をささえる弾性力の変化を得ることになり、顔の形状や体感の個人差からくるところの鼻に対する弾性力の、可変、調整機能の要求に答えることができるという効果を持つ。  
【００１５】
また、極座標回転方向弾性作用部は、螺旋状態のリング構造をあわせもち、螺旋状態の可変からも位置調整機能を有し、従来よりも、はるかに大きな位置調整範囲をもつという効果が得られる。
【００１６】
また、接合点に至るまでに極座標回転方向弾性作用部を有しているため、鼻あて全体からかかっていた応力が、接合点にかかるまでに、極座標回転方向弾性作用部のリング形状の極座標回転方向に拡散してから伝わるため接合点での破損が防ぐことが出来る。
【００１７】
請求項１は、このような構造をもつ発明であるため、位置調整機能効果、応力拡散効果、弾性力可変調整機能、顔に対する衝撃吸収効果、ブリッジの接合点での応力集中による破断を防止する効果、従来のものよりはるかに大きな範囲で位置調整が柔軟におこなえるという効果を有する。
【００１８】
請求項２は、さらにホール接合部を構成したことで、眼鏡枠の鼻あて部分が、着脱できる効果が得られる。
【００１９】
請求項２は、ホール接合部の内部に、さらに応力拡散弾性作用部をそなえたことで、従来、接合点で集中していた応力を拡散しうる弾性作用を得るという効果をもつ。
【００２０】
つまり、請求項２においては、接合点の前方に極座標回転方向弾性作用部をそなえ、後方には、ホール接合部の内部に応力拡散弾性作用部をそなえることで、接合点をはさんで弾性力を作用させていることになるので、接合点での応力集中が、さらになくなり、破断、破損がなくなる効果を持つ。
【００２１】
このように構成された本発明は、公開特許（特願２００１−３５９４２６）に開示された発明では解決されなかった問題点を解決したばかりでなく、眼鏡装着者の装着感を大きく改善することになり、また破断、破損の現象に対しても、本発明は、眼鏡枠においておおきな進化を得るという効果を持つ。
【発明を実施するための最良の形態】
【００２２】
位置調整機能と弾性作用機能、弾性力可変機能、応力集中破損防止機能を、最小限のスペースにて実現した。
【実施例１】
【００２３】
図１は、本発明の１実施例の斜視図であって、１は眼鏡リム、２はブリッジ、３は鼻あて母体を表している。また、４で表した範囲の部分は衝撃吸収帯を示している。
【００２４】
５は極座標回転方向弾性作用部Ａであり、螺旋状態のリングを形成している。
【００２５】
４衝撃吸収帯から伝わる力は、５極座標回転方向弾性作用部Ａに加わると、リング形状の円弧の半径に変化が加わり弾性力の発生となって拡散される効果が得られる。
【００２６】
この効果によって、公開特許（特願２００１−３５９４２６）請求項１において、ブリッジの接合点に集中的に力が掛かることで発生する、破断、破損の現象が、本発明によって解消する。
【００２７】
また、図４に示すように５極座標回転方向弾性作用部Ａのリング形状の半径Ｒを工具にて可変する事で、弾性力の発生の力を可変出来る。
【００２８】
言うなれば、一般的に使用されているスプリングコイルバネのコイル径の大きいものと、小さいものとの差によってバネの弾性力に差が生ずるという物理現象に相当するような現象が得られることになる。
【００２９】
この弾性力の可変は、鼻あてのクッション弾性力の可変を得たことになり、個々の顔に形状や好みに合わせ、クッション性能およびフィット性、衝撃吸収感覚を選定できるということになる。
【００３０】
この図１の実施例では、さらに３鼻あて母体と４衝撃吸収帯の間に、７極座標回転方向弾性作用部Ｂをそなえ、５極座標回転方向弾性作用部Ａと同じ原理に基づく作用をおこなう。
【００３１】
このように単数でも効果が得られる極座標回転方向弾性作用部の機構を、複数箇所に設けることもでき、さらにこの発明の効果が倍増することになる。
【実施例２】
【００３２】
図２は、特に請求項２における発明による実施例の一つであり断面図である。
１から４は実施例１に同じなのであるが、６接合部において９ホール接合部をそなえたことを特徴としている。
【００３３】
図３は、図２における内部構造図であり請求項２の主なる実施例を（ａ）〜（ｄ）のタイプの断面図として示した。
【００３４】
９ホール接合部は２ブリッジに構成した内部空間であって、１０応力拡散弾性作用部
か組み込まれている。
【００３５】
この図３の実施例は１１固定シリンダー をそなえ、１２装着軸によってブリッジに装着されている。
【００３６】
４衝撃吸収帯から伝わる力は、５極座標回転方向弾性作用部Ａに加わると、リング形状の円弧の半径に変化が加わり弾性力の発生となって拡散される効果が得られるのであるが、さらにその力は、６接合部から、２ブリッジ内部にそなえられた９ホール接合部に入り込んだ１０応力拡散弾性作用部に伝わり弾性力として吸収される。
【００３７】
図３の（ｃ）の実施例においては、特に１０応力拡散弾性作用部のリング形状内部に弾性作用を有する材質で構成された１３クッション作用部を設けたことを特徴としている。
このことでさらに応力の拡散効果が得られる。
【産業上の利用可能性】
【００３８】
眼鏡枠にあって、顔との接触部分全般に、位置調整とクッション性能の快適さが同時に求められ、位置調整機能と弾性作用機能、弾性力可変機能、応力集中破損防止機能が不可欠な用途にも適用できる。
【図面の簡単な説明】
【００３９】
【図１】請求項１による一実施例の実施方法を示した斜視図である。（実施例１）
【図２】請求項２による一実施例の実施方法を示した断面図である。（実施例２）
【図３】請求項２における、おもに１０応力拡散弾性作用部の実施例を（ａ）〜（ｄ）に示した断面図である。
【図４】５および７極座標回転方向弾性作用部の半径Ｒの大小による弾性力の可変を示す説明図。
【符号の説明】
【００４０】
１    眼鏡リム
２    ブリッジ
３    鼻あて母体
４    衝撃吸収帯
５    極座標回転方向弾性作用部Ａ
６    接合部
７    極座標回転方向弾性作用部Ｂ
８    鼻あて母体取付部
９    ホール接合部
１０  応力拡散弾性作用部
１１  固定シリンダ
１２  装着軸
１３  クッション作用部  
【図１】
2006163020.tif 000003
【図２】
2006163020.tif 000004
【図３】
2006163020.tif 000005
【図４】
2006163020.tif 000006